(57)【要約】      （修正有）【課題】ベンチコートとして使用したり、地震などの被災時において避難場所での防寒具や毛布代わりとして用いることができる防寒具兼用ベンチコートを提供する。【解決手段】前部を開放自在に形成されたフード付のコート本体１の内面には、脚袋収納部８が形成されている。この脚袋収納部８内には、前身頃と後身頃とは片方のサイドで連結されていて、もう一方のサイドは面ファスナー５、５a及びスナップ６、６aにより開閉自在に形成されている。また、前身頃と後身頃には面ファスナーが取り付けられている。また、前記脚袋収納部８内に脚袋を収納したときに脚袋収納部８内の面ファスナーに留めるための面ファスナーが脚袋に取り付けられている。【選択図】図１
2010037708.tif 000002
【特許請求の範囲】
【請求項１】
ａ．前身頃側を開放自在に形成して成るコート本体と、
ｂ．サイド及び足先を開放自在に形成し、下半身を足元を含めて収容自在に形成して成る脚袋と、
ｃ．前記コート本体の後身頃の内側に形成された上下を開放自在に形成して成る脚袋収納部と、
ｄ．から成る防寒具兼用ベンチコート。
【請求項２】
前記コート本体の上下の開口部には閉塞手段が取り付けられていることを特徴とする請求項１に記載の防寒具兼用ベンチコート。
【請求項３】
前記コート本体の脚袋収納部内の上部には、脚袋を収納した上でこの脚袋を留めて置くための脚袋留め具が設けられていることを特徴とする請求項１又は２に記載の防寒具兼用ベンチコート。
【請求項４】
前記コート本体側の脚袋留め具と脚袋側の留め具のところに、留め位置を定めるための目印が設けられていることを特徴とする請求項３に記載の防寒具兼用ベンチコート。
【請求項５】
前記脚袋の前身頃と後身頃は、一方のサイドで連結されていて、他方のサイド同士はスライドファスナで留めることができるように形成されていると共に足元側はスライドファスナー又は面ファスナーで留めることができるように形成されていることを特徴とする請求項１乃至４のいずれか１項に記載の防寒具兼用ベンチコート。
【請求項６】
前記脚袋には、専用の携帯用袋が用意されていることを特徴とする請求項１乃至６に記載の防寒具兼用ベンチコート。
【請求項７】
前記脚袋において、その上部には、開口部を絞るための絞り具が取り付けられていることを特徴とする請求項１に記載の防寒具兼用ベンチコート。
【請求項８】
前記絞り具は、留め具付のベルト又は結び紐から成ることを特徴とする請求項７に記載の防寒具兼用ベンチコート。
【請求項９】
前記ベルト又は結び紐には伸縮性が付与されていることを特徴とする請求項８に記載の防寒具兼用ベンチコート。
【発明の詳細な説明】
【技術分野】
【０００１】
本発明は、スポーツ観戦とか被災時における防寒対策等において有効なベンチコートに関する。
【背景技術】
【０００２】
サッカー等のアウトドアスポーツの観戦用であって、寒い季節に着用する防寒具としてベンチコートがある。このベンチコートには、各種の機能が付与されているものは多いが、このベンチコートとしての用途以外に地震や台風等により被災した人が例えば避難場所において着用したり、毛布や敷き物の代用としても使用できる機能を付加したものはない。
【０００３】
例えば特開平８―２９６１０４号公報には、地震・火事・台風等の被災時において寒さ等から身を守ると共に避難先において寝袋として使用でき、且つ平常時には例えばキャンプ等のアウトドア又はスポーツ観戦において防寒用ウェアとして用いても好適な寝袋兼用コートとして、上部にフード部１１を有する前開きコート本体１２と、該コート本体１２の裾回り部１３にスライドファスナ等の脱着部材１４を介して着脱自在に一体に設けられた略半円形状の寝袋下部１５とからなり、該寝袋下部１５は、前開きコート本体１２の内側に取外し自在に止着するための止着部１６を形成したものが紹介されている。
【特許文献１】特開平８―２９６１０４号
【０００４】
しかし、このコートの場合、次のような欠点がある。
１．寝袋下部１５は、コート本体１２の裾回り部１３に着脱部材１４で取り付け、この
寝袋下部１５を用いない時はコート本体１２の内側に折り返して留め具１７で留めて
おくため、この留め具１７が寝た際に邪魔になる。
【０００５】
２．また、寝袋下部１５は、開いた状態でコート本体１２の内面全体に広げて折り返さ
れているため、コートとして着用している場合には前身頃側がモコモコして行動しに
くいと共にこの折り返した状態の寝袋下部１５は、その表面が折り返した時にはコー
ト本体１２の内面となるため、寝袋や下半身の保温のために寝袋下部１５を使用した
後は、その汚れや水滴が直接身体に付いてしまうという問題がある。
【０００６】
３．次に、寝袋下部１５は、上部を除きスライドファスナー２１ａで閉塞してしまうた
め、足が外に出ないことから、寝袋下部１５を着けたまま歩行が出来ない。このた
め、スポーツ観戦等においては靴を脱ぐ必要があり、また災害の避難場所において
トイレに立つような時には寝袋下部１５を全開にする必要があり、大変不便である
。
【０００７】
４．次に、寝袋下部１５はコート本体１２の裾部から下に取り付けられているため、コ
ート本体１２の丈によっては非常に短くなり、また最大でハーフコート丈であったと
しても丈は腰から下の長さとなるため、寝袋下部１５は広げてもそれほど大きな面積
とはならない。このため、避難場所において敷き物として使用するとしても一人が腰
掛ける程度の面積しか確保できないという欠点がある。
【発明の開示】
【発明が解決しようとする課題】
【０００８】
本発明は、上記従来例が有する欠点の解消を図るのが目的であって、具体的にはベンチコートとして、あるいは災害発生時の避難場所においては防寒用の寝袋として、更に毛布がわりとして使用することができる使い勝手に特に工夫を凝らした防寒具兼用ベンチコートを提供することである。
【課題を解決するための手段】
【０００９】
上記目的を達成するために提案する本願発明に係る防寒具兼用ベンチコートの構成は、ａ．前身頃側を開放自在に形成して成るコート本体と、
ｂ．サイド及び足先を開放自在に形成し、下半身を足元を含めて収容自在に形成して成
る脚袋と、
ｃ．前記コート本体の後身頃の内側に形成された上下を開放自在に形成して成る脚袋収納部と、
ｄ．から成ることを特徴とするものである。
【００１０】
更に、請求項２に記載の防寒具兼用ベンチコートは、前記コート本体の上下の開口部には閉塞手段が取り付けられていることを特徴とするものである。
【００１１】
更に、請求項３に記載の防寒具兼用ベンチコートは、前記コート本体の脚袋収納部内の上部には、脚袋を収納した上でこの脚袋を留めて置くための脚袋留め具が設けられていることを特徴とするものである。
【００１２】
更に、請求項４に記載の防寒具兼用ベンチコートは、前記コート本体側の脚袋留め具と脚袋側の留め具のところに、留め位置を定めるための目印が設けられていることを特徴とするものである。
【００１３】
更に、請求項５に記載の防寒具兼用ベンチコートは、前記脚袋の前身頃と後身頃は、一方のサイドで連結されていて、他方のサイド同士はスライドファスナで留めることができるように形成されていると共に足元側はスライドファスナー又は面ファスナーで留めることができるように形成されていることを特徴とするものである。
【００１４】
更に、請求項６に記載の防寒具兼用ベンチコートは、前記脚袋には、専用の携帯用袋が用意されていることを特徴とするものである。
【００１５】
更に、請求項７に記載の防寒具兼用ベンチコートは、前記脚袋において、その上部には、開口部を絞るための絞り具が取り付けられていることを特徴とするものである。
【００１６】
更に、請求項８に記載の防寒具兼用ベンチコートにおいて、前記絞り具は留め具付のベルト又は結び紐から成ることを特徴とするものである。
【００１７】
更に、請求項９に記載の防寒具兼用ベンチコートにおいて、前記ベルト又は結び紐には伸縮性が付与されていることを特徴とするものである。
【発明の効果】
【００１８】
本発明は以上のとおり、コート本体を丈の長いベンチコートスタイルに形成すると共に脚袋をこのコート本体の背中の部分に形成された脚袋収納部内に収納しておくことができるため、ベンチコート等として着用している場合には背中が温かく、またモコモコといった着用感も無くなる。
【００１９】
また、脚袋が汚れていたり、濡れていたような場合、脚袋は収納部内に収められてしまうため、この汚れが直接身体に触れることはない。
また、脚袋の足元に開放自在の脚出口を形成したことにより、ここから足を出してそのまま歩行したりすることができるので、例えば夜間トイレに立つような場合に便利である。
【００２０】
また、脚袋の足元を開放自在としたことにより、女性の場合に脚袋内に入って立ちながら着替えを行うことができて便利である。
また、脚袋は、全面開放することにより大きな面積を確保できるため、敷き物として使用する場合には毛布代わりとなり有効である。
また、脚袋収納部は、脚袋以外の物を収納して携帯あるいは保管することができる便利さがある。
【実施例１】
【００２１】
上記した本発明に係る防寒具兼用ベンチコートの実施例を図１〜図１１に基づいて詳細に説明する。先ず、図１（Ａ）（Ｂ）はコート本体の説明図、図２（Ａ）（Ｂ）は脚袋の説明図、図３は脚袋を入れて携帯又は保管するための袋の説明図、図４はベンチコートとして着用している状態の説明図、図５はＡ−Ａ´線断面図、図６は本発明防寒具を寝袋として用いている状態の説明図、図７は脚袋内に下半身を入れて足を伸ばして腰掛けている状態の説明図、図８は脚袋に下半身入れて椅子に腰掛けている状態の説明図、図９は脚袋の先を閉じて寝袋として用いている状態の説明図、図１０は脚袋の先を開いてここから足を出し、歩行している状態の説明図、図１１は脚袋をコート本体の脚袋収納部内に収納した状態の説明図である。
【００２２】
これら各図において、符号の１はコート本体であって、このコート本体１は図１（Ｂ）に示すように、中間層に綿、羽毛等の保温層３を形成し、この保温層３の表面を防水及び難燃性材料から成る表皮２で覆った生地で全体が形成されている。そして、前身頃４にはスライドファスナー５及びスナップ６、６aが取り付けられている。但し、このスライド
ファスナー５とスナップ６、６aの一方は、面ファスナーであっても良い。
７はフードであって、このフード７は、実施例の場合はくくり付けとなっているが、面ファスナー又はスナップあるいはスライドファスナーにより着脱自在に形成しても良い。
【００２３】
８はコート本体１の内側の背中の部分に形成された脚袋収納部であって、この収納部８は上部及び下部がそれぞれ開放されていて、上部開放口１０の内面には、この開放口１０を閉じておくための面ファスナー１１、１１ａと後述する脚袋を収納したときにこの脚袋を留めておくための面ファスナー１２が取り付けられ、更に収納部８の下部開放口９には、この開放口９を閉じるためのスライドファスナー１３及びスライダー１４が取り付けられている。
【００２４】
図２（Ａ）（Ｂ）において、１５は脚袋であって、この脚袋１５は前記したコート本体１と同じ生地で作られており、前身頃１６と後身頃１７とは、展開したとき中央１５ａで連結されていて、両サイド縁にはスライドファスナー１８、１８ａが取り付けられ、下部（先端）１９は円弧状に形成されている。そして、前身頃１６側の下部１９の内面には、ヨーク２０が形成され、このヨーク２０の表面には、脚袋１５の下部１９を閉じるための面ファスナー２１が取り付けられていると共にこの面ファスナー２１と対面する後身頃１７の内面にも面ファスナー２１aが取り付けられている。但し、ヨーク２０は形成せず、
面ファスナー２１を直接前身頃１６の内面に取り付けるようにしても良い。
因みに、前記したコート本体１及び脚袋１５の表地はナイロン、裏地はポリエステル、中間層にはポリエステル繊維が充填されている。
コート本体１と脚袋１５の寸法例を表１に示す。
【表１】
2010037708.tif 000003
【００２５】
次に、図４〜図１１に基づいて前記したコート本体１及び脚袋１５の使用例を説明する。図４はベンチコートとして着用している例であって、このとき、脚袋１５は、図３に示す袋１５ａ内に収納しておいても良いし、図１の一点鎖線ａに示すように、脚袋１５を逆さの状態で脚袋収納部８に挿入し、この脚袋収納部８の開放口１０内に取り付けた面ファスナー１２に面ファスナー２２を留めておく。このとき、位置決め目印２３、２３´を利用して位置がずれないように気をつける。その上で脚部収納部８の下部開放口９のスライドファスナー１３を閉じておく。なお、面ファスナー２２は脚袋１５において前身頃１６又は後身頃１７のどちら側の身頃に取り付けても良い。
そして、再度脚袋１５を使用する場合には、スライダー１４を引いてスライドファスナー１３を開き、脚袋収納部８内から脚袋１５を取り出す。
【００２６】
次に、脚袋１５の使用例について説明すると、脚袋１５を毛布代わりに広げて使用する場合には、図２に示すようにサイドのスライドファスナー５、５ａ及びスナップ６、６a
を開き、前身頃１６と後身頃１７を一枚に広げて使う。
次に、寝袋として使用する場合には、図２の目印２４、２４ａを合わせるようにして図９に示すように脚袋１５の面ファスナー２１、２１ａ（又はスライドファスナー）を閉じて袋状に形成したところに下半身を入れ、図６に示すようにコート本体１を着て寝袋とする。
【００２７】
次に、脚袋１５から足を出して休む場合には、図７に示すように脚袋１５の面ファスナー２１、２１ａ（又はスライドファスナー）を開いて下部を開放し、ここから足を外に出す。
次に、脚袋１５を椅子等に腰掛けたときの防寒具として用いる場合には、図８に示すように袋状に形成した脚袋１５内に下半身を入れて椅子等に腰掛ける。
【００２８】
次に図６に示すように寝袋として使用していて、例えばトイレに立つようなときは、図９の状態で閉じられている面ファスナー２１、２１ａ（又はスライドファスナー）を開き、ヨーク２０を裏返しとすることにより、面ファスナー２１、２１ａが閉じないようにしてから脚袋１５の下部１９を開き、図１０に示すようにこの下部の開放口１０から足を出す。
図１１は脚袋収納部８内に脚袋１５を収納し、面ファスナー１２と２２を合わせて固定した状態の説明図である。
以上の使用例は一例であって、本発明のコート本体１及び脚袋１５は、任意の形態で多様に使用することができることはいうまでもない。
【実施例２】
【００２９】
本実施例２は、脚袋１５の上部開口部を使用形態によっては絞り込むことができるように工夫したものであって、図１２に示すように脚袋１５の上部開口部に近い位置にベルト通し２６を取り付け、このベルト通し２６にベルト２５を通し、留め具２７で絞り込んで腰又は胸の囲りで留めることができるように構成したものである。
【００３０】
なお、上記実施例２では、ベルト２５を利用しているが、その他結び紐等であっても良い。また、ベルト２５及び結び紐には絞り込みをソフトにするため、あるいはベルト２５や結び紐を結んだままで身体を出し入れできるようにゴム体で伸縮性を付与しても良い。
【００３１】
このように、ベルト２５を取り付けた場合、図１０に示すように歩行時に脚袋１５がずれ落ちないばかりではなく、図６〜図８に示すような脚袋１５の使用形態においては、脚袋１５の開口部を閉じることにより外気が中に侵入するのを防ぎ、温かく保つことができる。
【図面の簡単な説明】
【００３２】
【図１】（Ａ）はコート本体の前を開いた状態の説明図、（Ｂ）は生地の説明図
【図２】（Ａ）は脚袋の説明図、（Ｂ）は脚袋を開いた状態の説明図
【図３】脚袋を入れて携帯又は保管するための袋の説明図
【図４】ベンチコートとして着用している状態の説明図
【図５】Ａ−Ａ´線断面図
【図６】本発明防寒具を寝具として用いている状態の説明図
【図７】脚袋内に下半身を入れて足を伸ばして腰をおろしている状態の説明図
【図８】脚袋に下半身入れて椅子に腰掛けている状態の説明図
【図９】脚袋の先を閉じて寝具として用いている状態の説明図
【図１０】脚袋の先を開いてここから足を出し、歩行している状態の説明図
【図１１】脚袋収納部内に脚袋を収納した状態の説明図
【図１２】脚袋の上部開口部を絞り込むことができるようにベルトを取り付けた実施例２の説明図
【符号の説明】
【００３３】
１  コート本体
４  前身頃
８  脚袋収納部
１５  脚袋
２０  ヨーク
２５  ベルト
【図１】
2010037708.tif 000004
【図２】
2010037708.tif 000005
【図３】
2010037708.tif 000006
【図４】
2010037708.tif 000007
【図５】
2010037708.tif 000008
【図６】
2010037708.tif 000009
【図７】
2010037708.tif 000010
【図８】
2010037708.tif 000011
【図９】
2010037708.tif 000012
【図１０】
2010037708.tif 000013
【図１１】
2010037708.tif 000014
【図１２】
2010037708.tif 000015